(57)【要約】【課題】  操作設定画面上にマイクからの音声入力レベルを表示することによって、ユーザーに適切な発生量であるか否かを認識させることができるボイスメモ付きテレビジョン装置を提供する。【解決手段】  音声を入力するマイク２５は、入力した音声をアナログ音声信号に変換する。このアナログ音声信号は、アンプ２４によって適切なレベルに増幅されて音声処理部１４に入力される。音声処理部１４から出力された音声データは、専用回線を介して、カード制御部１８に送られて、カード制御部１８に内蔵された信号処理部においてカード型記録媒体に書き込むためのデータフォーマットに変換され、カード型記録媒体２２に記録される。記録・再生されるボイスメモは、映像処理部１３上に操作設定画面として表示されて、入力レベル、記録時間等が適切かどうかを確認する。【選択図】  図１
2005198013.tif 000002
【特許請求の範囲】
【請求項１】
ユーザーのボイスメモを記録又は再生する機能を搭載したボイスメモ機能付きテレビジョン装置において、
前記ユーザーの音声を入力するマイクと、
前記マイクに入力した音声信号を所定の音声処理を施し、音声レベルを検出する音声処理部と、
前記音声処理を施した音声データを前記カード型記録媒体に対して記録又は再生するように制御を行うとともに、該記録又は再生制御するためのユーザー操作を支援する操作設定画面の表示信号を生成するカード制御部と、
前記操作設定画面を表示する表示部と、
を備えたことを特徴とするボイスメモ機能付きテレビジョン装置。
【請求項２】
前記カード制御部が生成する操作設定画面は、前記音声処理部により検出された前記音声レベルの高低を表す音声レベル表示領域を有し、
前記音声レベル表示領域は、前記音声処理部により検出された前記音声レベルの高低に応じてその表示形式を二分化する表示処理がなされるようにしたことを特徴とする請求項１に記載のボイスメモ機能付きテレビジョン装置。
【請求項３】
前記音声レベル表示領域は、入力された音声データが適切な音声レベルを超えた時に、前記二分化された表示形式のうち一方の表示形式が、その旨をユーザーに通知するように表示処理する手段を設けたことを特徴とする請求項２に記載のボイスメモ機能付きテレビジョン装置。
【請求項４】
前記音声処理部は、前記音声信号をバーチャルサウンド環境に応じた音声バランス制御する音声設定切り替え手段と、多周期のサンプリング周波数で前記音声信号をサンプリングして音声バランス調整を行うイコライザとを備え、
前記音声処理部は、ユーザーの音声環境に応じて、音量制御を行うようにしたことを特徴とする請求項１から請求項３のいずれか１項に記載のボイスメモ機能付きテレビジョン装置。
【請求項５】
前記マイクは、該マイクの集音面と、前記表示部の前面とを平行させ、ユーザーの音声を前記表示部の前面で集音するように配置されたことを特徴とする請求項１から請求項４のいずれか１項に記載のボイスメモ機能付きテレビジョン装置。
【請求項６】
前記カード制御部は、前記音声データを前記カード型記録媒体に記録している場合に、前記操作設定画面上に前記カード型記録媒体の記録可能な時間数に対する現在まで録音した記録時間数の割合をバーグラフで示した領域を設け、該音声データの記録時間の増加に応じて、所定の色で塗りつぶされた前記領域が増加するように表示処理したことを特徴とする請求項１から請求項５のいずれか１項に記載のボイスメモ機能付きテレビジョン装置。
【発明の詳細な説明】
【技術分野】
【０００１】
本発明は、ユーザーの音声メッセージを記録又は再生するボイスメモ機能付きテレビジョン装置に関する。
【背景技術】
【０００２】
従来技術として、テレビジョンのスイッチを入れた後、所定時間が経過すると、テレビジョンの映像が切れて、母親の声で「もう○△時間もＴＶを見ましたよ、、、云々」という音声が、例えば、子供に対して流れるようにしたボイスメモを与えるタイマー回路とテープレコーダースイッチを備えたテレビジョン受像機が提案されている（特許文献１参照）。
【特許文献１】特開昭４９−３８５１８号公報
【発明の開示】
【発明が解決しようとする課題】
【０００３】
しかしながら、上記に示した従来の技術では、予め録音している音声の入力レベルは、ユーザーの音声録音環境（騒音環境、ユーザーとテレビとの関係位置、ユーザー自身の健康状態等）によってさまざまであり、この録音環境によって録音された音声を再生する場合、その出力レベルが異なる場合がある。したがって、再生時にユーザーが適切な音量で聞くことを妨げる可能性があり、時には騒音のような音量にユーザーが驚かされ、不快感を与える恐れがあるという問題点があった。
【０００４】
本発明は、斯かる実情に鑑み、ユーザーが音声入力する時点で適切な音声入力量であるか否かを認識することができるボイスメモ機能付きテレビジョン装置を提供しようとするものである。
【課題を解決するための手段】
【０００５】
本発明に係るボイスメモ機能付きテレビジョン装置は、上述した課題を解決するため、以下の特徴点を備えている。
【０００６】
本発明に係るボイスメモ機能付きテレビジョン装置は、ユーザーのボイスメモを記録又は再生する機能を搭載したボイスメモ機能付きテレビジョン装置において、前記ユーザーの音声を入力するマイクと、前記マイクに入力した音声信号を所定の音声処理を施し、音声レベルを検出する音声処理部と、前記音声処理を施した音声データを前記カード型記録媒体に対して記録又は再生するように制御を行うとともに、該記録又は再生制御するためのユーザー操作を支援する操作設定画面の表示信号を生成するカード制御部と、前記表示信号を映像信号より前面に重ねて処理する映像処理部と、前記操作設定画面を表示する表示部と、を備えたことを特徴とする。
【０００７】
本発明に係るボイスメモ機能付きテレビジョン装置は、前記カード制御部が生成する操作設定画面は、前記音声処理部により検出された前記音声レベルの高低を表す音声レベル表示領域を有し、前記音声レベル表示領域は、前記音声処理部により検出された前記音声レベルの高低に応じてその表示形式を二分化する表示処理がなされるようにしたことを特徴とする。
【０００８】
本発明に係るボイスメモ機能付きテレビジョン装置は、前記音声レベル表示領域は、入力された音声データが適切な音声レベルを超えた時に、前記二分化された表示形式のうち一方の表示形式が、その旨をユーザーに通知するように表示処理する手段を設けたことを特徴とする。
【０００９】
本発明に係るボイスメモ機能付きテレビジョン装置は、前記音声処理部が、前記音声信号をバーチャルサウンド環境に応じた音声バランス制御する音声設定切り替え手段と、多周期のサンプリング周波数で前記音声信号をサンプリングして音声バランス調整を行うイコライザとを備え、前記音声処理部が、ユーザーの音声環境に応じて、音量制御を行うようにしたことを特徴とする。
【００１０】
本発明に係るボイスメモ機能付きテレビジョン装置は、前記マイクが、該マイクの集音面と、前記表示部の前面とを平行させ、ユーザーの音声を前記表示部の前面で集音するように配置されたことを特徴とする。
【００１１】
本発明に係るボイスメモ機能付きテレビジョン装置は、前記カード制御部が、前記音声データを前記カード型記録媒体に記録している場合に、前記操作設定画面上に前記カード型記録媒体の記録可能な時間数に対する現在まで録音した記録時間数の割合をバーグラフで示した領域を設け、該音声データの記録時間の増加に応じて、所定の色で塗りつぶされた前記領域が増加するように表示処理したことを特徴とする。
【発明の効果】
【００１２】
本発明のボイスメモ付きテレビジョン装置によれば、操作設定画面上にマイクからの音声入力レベルを表示することによって、ユーザーに適切な発生量であるか否かを認識させることが可能となり、適当な発声量を的確かつ分かりやすく指示することができる。
【００１３】
本発明のボイスメモ付きテレビジョン装置によれば、記録される音声データが、ユーザーの発する発声量だけで制御するのではなく、音声処理部の方の音声感度によっても制御されるので、健康上等の理由で声が思うように出ないユーザーに対しても適切に音量制御を行うことができる。
【００１４】
本発明のボイスメモ付きテレビジョン装置によれば、操作設定画面に向かってボイスメモを記録するユーザーにとって、より高い集音能力を実現することが可能である。
【００１５】
本発明のボイスメモ付きテレビジョン装置によれば、操作設定画面上に記録可能時間が進捗表示され、記録可能時間をユーザーが容易に認識することが可能となる。
【発明を実施するための最良の形態】
【００１６】
以下、本発明の実施の形態を添付図面を参照して説明する。
【００１７】
図１〜図４は発明を実施する形態の一例であって、図中、同一の符号を付した部分は同一物を表わすものとする。
【００１８】
図１は、本発明に係るボイスメモ付きテレビジョン装置の実施形態の構成を示すブロック図である。
【００１９】
まず、図１を用いて本発明に係るボイスメモ付きテレビジョン装置の実施形態の概略構成について説明する。
【００２０】
ボイスメモ付きテレビビジョン装置１０は、テレビジョン放送信号を受信するアンテナ１１と、アンテナ１１によって受信されたテレビジョン放送信号を映像検波し、放送信号（映像信号および音声信号を含む）を出力する受信部１２と、入力された放送信号から映像信号を分離し、Ｒ，Ｇ，Ｂ信号に変換して出力する映像処理部１３と、入力された放送信号から音声信号を分離し処理する音声処理部１４と、上記映像信号をＣＲＴや液晶ディスプレイ等に表示する表示部１５と、スピーカ１６と、メモリカード等のカード型記録媒体２０が挿入されるスロット部１７と、スロット部１７に挿入されたカード型記録媒体２０と通信を行うカード制御部１８と、装置全体を制御する中央制御部（以下、ＣＰＵという）１９と、装置全体の制御を行うためのプログラムが記憶されているＲＯＭ２３と、ＣＰＵ１９に各種制御を行うための指示をユーザーが入力する操作部２０とから構成される。
【００２１】
更に、映像信号を表示する表示部１５に表示させたり、音声信号をスピーカ１６に出力したりするために、受信部１２からの放送信号又はカード型記録媒体２２から再生したデジタル信号（映像信号及び音声信号を含む）を選択する選択部２１が設けられている。この選択部２１は、ＣＰＵ１９によって制御される。一般的には、この選択部２１は、セレクタとも呼ばれ、集積回路ＩＣとして実現化されているものもある。
また、選択された受信部１２からの放送信号を同時にカード型記録媒体２２に記録することもできる。
【００２２】
カード制御部１８は、カード型記録媒体２２に記憶されている映像信号と音声信号とからなるデータ信号を読み出し、映像信号を映像出力部１３に、音声信号を音声処理部１４にそれぞれ出力する再生処理と、受信部１２から出力される映像信号および音声信号とからなる放送信号をカード型記録媒体２２にデータ信号として書き込む記録処理とを行う。
【００２３】
このように、カード制御部１８は、受信部１２からの放送信号を書き込むための入力ラインとカード型記録媒体に記録されたデータ信号を出力する出力ラインが存在し、記録・再生ができるように双方向性ラインとなっている。
【００２４】
なお、後述するボイスメモ機能が動作した場合には、カード型記録媒体２２に記録されたデータ信号は、選択部２１によって、選択されて映像処理部１３や音声処理部１４に伝送される。また、カード型記録媒体２２に記録する音声データは、直接専用回線によりカード制御部１８に伝送されて、カード型記録媒体２２に記録される。
【００２５】
次に、放送信号又はボイスメモデータの記録・再生を行うカード型記録媒体２２及びその周辺部の構成並びにその動作について説明する。
【００２６】
図２（ａ）は、カード型記録媒体２２をスロット部１７に装着した状態を示す図である。
【００２７】
図２（ｂ）は、カード型記録媒体２２をスロット部１７に脱着しようとする状態を示す図である。
【００２８】
スロット部１７は、図２に示すように、挿入されたカード型記録媒体２２が収納されるカード用コネクタ３１と、カード用コネクタ３１に挿着されたカード型記録媒体２２の取り出しを行うためのプッシュロッド３２と、プッシュロッド３２が排出準備状態に移行したことを検出する排出準備状態検出センサ３３と、カード用コネクタ３１および排出準備状態検出センサ３３からの出力に応じて状態信号を出力する信号検出部３４とからなる。
【００２９】
プッシュロッド３２は、２段階の操作によってカード型記録媒体２２を排出する折れ曲がりタイプのプッシュロッドであり、カード用コネクタ３１にカード型記録媒体２２が挿着された状態で、図２（ａ）に示すように折れ曲げることにより、突出状態のプッシュロッド３２の誤操作により接続中のカード型記録媒体２２が意に反して排出されてしまうことを防止している。尚、このような排出機構を実現するプッシュロッド３２の具体的実施形態としては、例えば市販のロック状態を有するプッシュスイッチ及びこれに類するスイッチ部材などが挙げられる。
【００３０】
カード型記録媒体２２をカード用コネクタ３１から排出する際には、図２（ａ）に矢印で示す方向にプッシュロッド３２の折れ曲がり部分を回動させ（第１の操作）、図２（ｂ）に示すように、プッシュロッド３２を直線状にした状態で、プッシュロッド７２を図２（ｂ）に矢印で示す方向に押し込むことにより（第２の操作）、図示しないイジェクトレバーを作用させてカード型記録媒体２２を排出させる。
【００３１】
排出準備状態検出センサ３３は、例えば反射型光センサであり、図２に示すように、プッシュロッド３２の折れ曲がり部分を検出する位置に配置され、プッシュロッド３２の折れ曲がり部分の有無を検出することによって、プッシュロッド３２の折れ曲がり部分を回動させる第１の操作が行われて排出準備状態に移行したことを検出し、排出準備状態検出信号を信号検出部３４に出力する。
【００３２】
信号検出部３４は、排出準備状態検出センサ３３からの排出準備状態検出信号が入力されると、カード用コネクタ３１とカード型記録媒体２２との接続状態を検出するカード検出処理を行い、カード用コネクタ３１にカード型記録媒体２２が挿着されている場合には、排出準備状態検出信号をカード制御部１８に出力する。さらに、信号検出部３４は、カード用コネクタ３１とカード型記録媒体２２との接続状態を検出するカード検出処理を行うことで、カード用コネクタ３１からのカード型記録媒体２２の排出を検出し、カード用コネクタ３１からのカード型記録媒体２２の排出が検出されると、排出確認信号をカード制御部１８に出力する。
【００３３】
カード制御部１８は、信号検出部３４からの排出準備状態検出信号が入力されると、カード型記録媒体２２との間の通信状態を確認する通信状態確認処理を行い、カード型記録媒体２２と通信中である場合には、音声処理部１４を介してスピーカ１６から警報を出力すると共に、映像出力部１３を介して表示部５に警告表示を行ってユーザーに警告を報知することで、ユーザーにカード型記録媒体２２の取り出しを中止することを促す。
【００３４】
なお、カード型記憶媒体２２の現状の一般的仕様としては、ＰＣ−ＡＴＡカードタイプへの搭載が考えられる。ＰＣ−ＡＴＡカードを用いた場合には、プッシュロッド７２によるカード取り出し作業においてプロテクト機能が別段設けられてないことが多いからである。しかしながら本発明に主旨としてはＰＣ−ＡＴＡカードタイプ以外であってもこれに限定するものではない。
【００３５】
次に、本発明に係るボイスメモ付きテレビジョン装置のボイスメモ機能動作について図３及び図４を用いて詳しく、以下に説明する。
図３は、図１からボイスメモ機能部分を抜き出したボイスメモ機能ブロック図である。
【００３６】
ボイスメモ機能を実現するために、ボイスメモ付きテレビジョン装置１０は、音声を入力するマイク２５と、マイク２５から入力された音声を増幅するためのアンプ２４と、アンプ２４によって増幅された音声信号を所定の処理を行う音声処理部１４と、音声データを記録するカード型記録媒体２２とを備えている。マイク２５は、入力した音声をアナログ音声信号に変換する。このアナログ音声信号は、アンプ２４によって適切なレベルに増幅されて音声処理部１４に入力される。音声処理部１４から出力された音声データは、専用回線を介して、カード制御部１８に送られて、カード制御部１８に内蔵された信号処理部においてカード型記録媒体２２に書き込むためのデータフォーマットに変換され、カード制御部１８に内在するメモリ（図示せず）またはカード型記録媒体２２に記録される。
【００３７】
なお、カード制御部１８には、カード用マイコン（ＣＰＵを含む）やプログラム記憶用のメモリ、信号処理回路が含まれている。
【００３８】
上述したように、音声処理部１４には、アンプ１２を介してマイク１３が接続されるが、使用できるマイクとしては小型薄型が特徴である全指向性型のコンデンサタイプのマイクが、液晶テレビやプラズマディスプレイなどの薄型ディスプレイに適しているといえる。
【００３９】
すなわち、円筒状のコンデンサマイクの集音面は、円筒の上面か下面のいずれか一方の円形の面を音声入力面とすることができるため、マイク集音面の配置方向を表示部１５の前面が向いている方向に集音能力が最善となるようにマイクを配置することができる。
【００４０】
しかし、別段これに限定するものではなく、一般的に言うダイナミックタイプであっても良い。
【００４１】
音声処理部１４は、音声処理を行うサウンドプロセッサ４１と、ユーザーの希望に応じて適当に音声環境を設定切替する音声設定切替回路４２と、サウンドプロセッサ４１に設定された音声サンプリング用の周波数とは別に設けられた周波数を新たに加えることにより高音強調調整時などの音声環境の微調整することができるパライコライザ４３等とで構成される。尚、これらの各部間でデータの相互交換を行う信号バス・インターフェイスとしては、高速にデータ通信を行うために専用のバス・インターフェイスを採用している。
【００４２】
ここで、音声設定切替回路４２は、ユーザーの好みに応じて音声環境を調整するための回路であり、例えば、周知のドルビーデジタル（登録商標）環境からなるバーチャルサウンド環境に応じた音声バランスで制御することもできれば、単純な高音強調等の設定に応じた音声バランスを制御することもできる。
【００４３】
また、パライコライザ４３は、サウンドプロセッサ４１で用意されたサンプリング周波数とは異なる周波数によるサンプリング周波数によるサンプリングデータを処理するための回路であり、これにより同一の音声から拾う集音データをより多く取ることができるため、微妙な音声バランス調整を行うことができる。例えば、サウンドプロセッサ４１からの周波数を１２０／５００／１ｋ／５ｋ／１０ｋＨｚの５種用意したのに加え、パライコライザ（ＰＥＱ）４３で上記各周波数の間に新たに４つの周波数を追加してサンプリングさせておき、３００Ｈｚ辺りの低音域を弱める用にバランスを取りたい時は、サウンドプロセッサ４１で用意した１２０及び５００Ｈｚの周波数に対して弱めずに、パライコライザで用意した３００Ｈｚの周波数に相当するデータを弱めれば、１２０Ｈｚあるいは５００Ｈｚといった周波数のデータを不必要に弱めることなく（つまり極端に低音域を弱めることなく）、ユーザーの要望に応じた音声バランスを調整することができる。
【００４４】
このように、アンプ２４で増幅された音声信号は、ＳＰ４１に取り込まれた後、音声入力の環境に応じて、音声設定切替回路４２及びパライコライザ４３により音声バランス制御されて音声データとして再度、ＳＰ４１に取り込まれる。最終的に取り込まれた音声データは、ＳＰ４１により、常時、音声レベルの検出が行われてカード制御部１８に伝送される。
【００４５】
次に、表示部１５に表示されるボイスメモの操作設定画面について説明する。
図４は、ボイスメモの操作設定画面の表示状態を示す図である。
【００４６】
まず、操作部（以下、リモコンという）２０のモード切替キーを押すことによって、ＣＰＵ１９は、モード状態をカードモードに切り替える。ＣＰＵからのモード切替指令を受けて、カード制御部１８は、カード型記録媒体２２に記録されている各種アプリケーションのアイコンを表示部１５の画面に表示する。そして、ユーザーは、リモコン２０を用いて、表示されたアイコンのうち、ボイスメモ機能（音声入力機能）に関するアイコンを選択する。これにより、カード型記録媒体２２に記録されているボイスメモ機能を実行するアプリケーションがカード制御部１８にあるメモリにロードされて、このアプリケーションが起動し、このボイスメモための操作設定画面５０の初期画面が表示される。
【００４７】
尚、この操作設定画面は、表示部１５の表示画面全体に表示される必要はなく、例えば、カードモード切替操作前まで受信部１２からの放送信号の映像信号に対して、映像処理部１３の並列表示あるいは重畳処理表示処理によって子画面表示させたり、放送信号の映像信号をハーフトーン化して操作設定画面５０を優先的に前面表示させた状態で表示させてもよい。また、このボイスメモ動作を終了するには、リモコン２０を操作してボイスメモアプリケーションを終了すればよい。
【００４８】
ここで、操作設定画面５０上の各部位ついて以下に説明する。
操作設定画面５０のカード選択ボックス５１は、他のボイスメモカードを選択するボックスである。これにより、過去に記録されているメッセージを再生することが可能である。
【００４９】
記録時間表示ボックス５４は、カード型記録媒体２２、例えば、カード０が記録可能な時間数に対する現在録音中の記録時間の割合を示すボックスであり、ユーザーは、カードを交換するか否かの判断をすることができる。また、交換を促すに当たって、記録時間のバー表示が一定値以上（例えば、８０％以上）に達した場合、又は、残り記録時間が一定時間以内（例えば、３０秒以内）に達した時、表示形式を変更するようにしてもよい。
【００５０】
この表示形式としては、例えば、ボックス内のバーの色変更又は点滅表示してもよい。さらに、これらを併用してもよい。
【００５１】
特に、色変更の場合は、通常状態の場合は緑色、一定値以上に達した場合には赤色と表示するのが適切である。
【００５２】
録音中の音声レベル表示５３は、ボイスメモを記録中に音声処理部１４に入力された音声入力レベルを表示したものである。この録音中の音声入力レベル表示は、複数のブロック状のレベル数に区分して表示し、音声入力レベルが大きいほど、ブロック数が増加する。そして、ある一定のブロック数以上に達した時は、表示色を変更し、ユーザーに入力音声レベルを下げるように促す。この場合、表示色の変更は、ブロック全体の色を変化させてもよく、一定値以上のレベルを示すブロックのみ色を変更してもよい。表示色としては、通常の入力レベルでは緑色、大音量時には赤色で表示するのが適切である。
【００５３】
上記大音量で録音したことを音声レベル表示５３で確認した場合に、ユーザーは、リモコン２０のテレビ音量調節キーの調整操作を行い、ブロック数が適量になるようにする。これにより、再生時に、適切な音量でボイスメモを再生することができる。
【００５４】
記録・停止ボックス５５は、録音中であることを示す○、記録停止中であることを示す□を表示する。この場合、記録停止表示ボックス５５の右に示す数字の１は、記録又は停止を実行するリモコン２０のキーが１ＣＨキーであることをユーザーに示している。
【００５５】
また、ボイスメモとして記録したデータをカード制御部１８は、ファイル処理し、ボイスメモリスト５６としてリスト表示する。ユーザーがメモを保存する必要がなくなったときは、リスト表示上でその必要がなくなったファイルを指定して削除することができる。メッセージ削除表示ボックス５７の右に示す数字の２が、削除を実行するリモコン２０のキーが２ＣＨキーであることをユーザーに示している。
【００５６】
次に、上記リスト表からメモを選択して再生する場合について説明する。
【００５７】
上記ボイスメモリスト５６に表示された各種メモのうち、ユーザーの選択によってリスト内で１ラインのカーソル５８が移動し、選択したメモに対して、リモコン２０のＯＫキー（例えば、決定キーや確定キーであってもよい）を押下操作することにより、選択したメモの再生処理が行われる。
【００５８】
さらに、ボイスメモを記録する際は、メッセージを伝達する相手を特定したり、そのメッセージの特性（緊急性の有無）等を指定するためのメッセージタイトルボックス５２が設けられている。
【００５９】
このタイトルとしては、例えば、「Ｆｏｒ  Ｍｏｍ（お母さんへ）」、「Ｆｏｒ  Ｄａｄ（お父さんへ）」、「Ｆｏｒ  Ｋｉｄｓ（子供たちへ）」あるいは「Ｕｒｇｅｎｔ！（緊急）」等というメッセージタイトルが用意されている。そして、録音操作するユーザーがこれらを選択した上で録音操作を行うことにより、メッセージを聞くべきユーザーが特定されるので、聞く必要のないユーザーの操作を誤って聞いてしまう事態を防止することができる。
【００６０】
また、ユーザーに緊急のメッセージであることを伝えることも可能である。
【００６１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【００６２】
【図１】本発明に係るテレビジョン装置の実施の形態の構成を示すブロック図である。
【図２】（ａ）は、カード型記録媒体をスロット部に装着した状態を示す図である。（ｂ）は、カード型記録媒体をスロット部に脱着しようとする状態を示す図である。
【図３】図１からボイスメモ機能部分を抜き出したボイスメモ機能ブロック図である。
【図４】ボイスメモの操作画面の表示状態を示す図である。
【符号の説明】
【００６３】
１０  テレビジョン装置
１１  アンテナ
１２  受信部
１３  映像出力部
１４  音声処理部
１５  表示部
１６  スピーカ
１７  スロット部
１８  カード制御部
１９  ＣＰＵ
２０  操作部
２１  選択部
２２  カード記録媒体
３１  カード用コネクタ
３２  プッシュロッド
３３  排出準備状態検出センサ
３４  信号検出部
４１  サウンドプロセッサ
４２  音声環境切替手段
４３  パライオライザ
５０  ボイスメモ操作設定画面
５１  カード選択ボックス
５２  ボイスメモタイトルボックス
５３  音声入力レベル表示ボックス
５４  記録時間表示
５５  記録・停止表示ボックス
５６  ボイスメモリスト
５７  メッセージ削除表示ボックス
５８  カーソル
【図１】
2005198013.tif 000003
【図２】
2005198013.tif 000004
【図３】
2005198013.tif 000005
【図４】
2005198013.tif 000006